(57)【要約】【課題】集塵効率を向上しつつ小型化が図れるサイクロン方式電気掃除機を提供する。【解決手段】円筒形の集塵室を備えた掃除機本体と、ホースと、吸口体を備えた電気掃除機において、前記集塵室を横姿勢で配置し、送風機と電源供給部を前記集塵室の円筒の中心軸方向に並設するようにする。【選択図】　図１
2004016607.tif 000002
【特許請求の範囲】
【請求項１】
ほぼ円筒形の集塵室を備えた掃除機本体と、ホースと、吸口体を備えた電気掃除機であって、
前記掃除機本体の前部に配置された吸い込み口と、前記吸い込み口の後方に円筒の中心軸が前記掃除機本体の左右方向にほぼ水平となる姿勢で配置された前記集塵室と、前記集塵室の円筒の中心軸方向に並設された送風機および電源供給部とを備えることを特徴とする電気掃除機。
【請求項２】
ほぼ円筒形の集塵室を備えた掃除機本体と、ホースと、吸口体を備えた電気掃除機であって　　、
前記掃除機本体の前部に配置された吸い込み口と、前記掃除機本体の後方に円筒の中心軸が前記掃除機本体の左右方向にほぼ水平となる姿勢で配置された前記集塵室と、前記集塵室の前方に配置された送風機および電源供給部とを備えることを特徴とする電気掃除機。
【請求項３】
ほぼ円筒形の集塵室を備えた掃除機本体と、ホースと、吸口体を備えた電気掃除機であって、
前記集塵室は前記掃除機本体内部に円筒の中心軸が前記掃除機本体の左右方向にほぼ水平となる姿勢で配置され、その下方に前記集塵室と連通した副集塵室を有することを特徴とする電気掃除機。
【発明の詳細な説明】
【０００１】
【発明の属する技術分野】
本発明は、円筒形の集塵室に渦巻流を発生させることで吸気流から塵埃を除去するサイクロン方式の電気掃除機に関するものであり、特に集塵効率を向上しつつコンパクトな形態を備えた電気掃除機に関するものである。
【０００２】
【従来の技術】
従来の電気掃除機は使い捨て集塵袋を備えた電気掃除機が主流であったが、近年はサイクロン方式と呼ばれる電気掃除機が注目されている。
【０００３】
このサイクロン方式の電気掃除機は、円筒形の集塵室を備え、この集塵室の上部側面に円周方向から空気を取り込む吸気口を設けるとともに、前記円筒形の集塵室の中心軸下方に排気口を設け、この排気口に前記集塵室の空気を排出する送風機を取り付ける構造を備えている。
【０００４】
このサイクロン方式の電気掃除機によれば、前記吸気口から吸い込まれた塵埃を含んだ空気流は円筒形の内壁面に沿って渦巻流を形成して、円筒形の内壁面の上部から下部に流れて前記排出口から集塵室の外に排出される。この際、渦巻流に含まれる塵埃は、集塵室の内壁面に沿って移動して集塵室の底面に集められ、空気流は集塵室に塵埃を残して排出されるので、電気掃除機としての機能を果たすことができる。このようなサイクロン方式の電気掃除機は、例えば、特開２００２−１７６３６号などに開示されている。
【０００５】
【発明が解決しようとする課題】
前記サイクロン方式の電気掃除機は、円筒形の集塵室を採用するために、本体の小型化が大きな課題となる。例えば、前記従来例は、集塵室を本体の前部に縦姿勢で配置することで小型化を図っているが、円筒形の集塵室を縦姿勢で配置するため、全高が高くなり、未だ、全体のボリューム感が大きくなっている。更に、サイクロン方式では、大きな塵埃は除去できるものの、小さな塵埃は除去でき難い課題を備えているため、集塵室と送風機の間に小さな塵埃を採取するフイルタを備えている。このため、このサイクロン方式では、このフイルタに付着した塵埃の除去も必要である。したがって、このフイルタの清掃回数を減らすことも重要となっている。即ち、このフイルタの前での集塵効率をあげることが課題となっている。更には、これら集塵室とフイルタのメンテナンスの向上も課題である。
【０００６】
そこで、この発明の目的は、集塵効率を向上しつつ小型化が図れる電気掃除機を提供することにある。
【０００７】
【課題を解決するための手段】
本発明に係る電気掃除機は、前記目的を達成するために、円筒形の集塵室を備えた掃除機本体と、ホースと、吸口体を備えた電気掃除機において、
前記集塵室を横姿勢で配置し、送風機と電源供給部を前記集塵室の円筒の中心軸方向に並設するようにする。
【０００８】
【発明の実施の形態】
以下、本発明の実施の形態を図１から図２２を参照して詳細に説明する。図１から図１０はこの発明に係る電気掃除機の第１の実施の形態、図１１、図１２は第２の実施の形態、図１３と図１４が第３の実施の形態、図１５と図１６が第４の実施の形態、図１７から図２０が第５の実施の形態、図２１と図２２が第６の実施の形態を示している。なお、以下の説明において、同一部位や機能、箇所などは同一符号を持って示し重複した説明を省略する。
（第１の実施の形態）
先ず、図１を参照して、この実施の形態である電気掃除機１の概略構造を説明する。図１は使用状態の外観斜視図である。この実施の形態に係る電気掃除機１は、サイクロン方式の集塵機構を備えた掃除機本体１００と、吸込ホース２００と、手元ハンドル部３００と、延長管４００と、吸口体５００を備えている。
【０００９】
この電気掃除機１によれば、使用者は前記手元ハンドル部３００を保持して前記延長管４００を介して吸口体５００の動作を操作し、この吸口体５００を介して床面Ｇの塵埃を吸い取って、前記延長管４００、前記吸込ホース２００を介して前記掃除機本体１００に吸引することができる。更に、前記吸込ホース２００を介して前記手元ハンドル部３００に接続される前記掃除機本体１００は、一対の主車輪１０１と自在車輪１０２を備えて、使用者が前記手元ハンドル部３００を保持して移動する動作に追随する動きをとることができる。
【００１０】
前記掃除機本体１００は、その後方の両側に大きな前記主車輪１０１が配置され、底面前部には１個の前記自在車輪１０２が配置されている。また前記掃除機本体１００の前側には、ホース接続部１０３が配置され、このホース接続部１０３に前記吸込ホース２００を取り付けることにより、前記手元ハンドル部３００を介して床面Ｇを移動させることができる。
【００１１】
更に、この掃除機本体１００は、前記ホース接続部１０３に本体ハンドル部１０４を備えており、この本体ハンドル部１０４を保持して搬送を行うこともできる。
【００１２】
また、この実施の形態では、前記掃除機本体１００の前後にショルダベルト取付部１０５を備え、このショルダベルト取付部１０５にショルダベルト１０６を取り付けることにより、肩に掛けて搬送または、この搬送姿勢で清掃作業を行うことができる。
【００１３】
そして、この掃除機本体１００の大きな特徴は、内部に配置した機構部の配置を工夫することにより、集塵効率を向上しつつ小型化を図ったことにある。即ち、図１の下部枠内に表した掃除機本体１００の水平断面図に示すように、この実施の形態に係る掃除機本体１００は、横姿勢に配置されるほぼ円筒形の主集塵室１０７の長手方向と平設する位置に送風機１０８と電源供給部１０９を並べて配置した点である。なお、この実施の形態では前記電源供給部１０９を充電パック１０９ａとしている。
【００１４】
これにより、内部機構を偏平な筐体内に収めたコンパクトな掃除機本体１００とすることができる。更に、この実施の形態では、重量のある前記送風機１０８と電源供給部１０９の両側に前記大車輪１０１を配置し、比較的軽量な主集塵室１０７の下部に前記自在車輪１０２を配置したので、走行性や旋回性に優れた低重心の掃除機本体１００を提供することができる。しかも、この実施の形態では、前記主集塵室１０７に副集塵室１１０を備えることにより、主集塵室１０７に滞留する塵埃を減少させて集塵効率を向上させている。
【００１５】
更に、掃除機本体１００はこのような薄型の偏平な形態を備えているので、ショルダベルト１０６での清掃や搬送姿勢では、掃除機本体１００の上面を使用者に密着させた横姿勢で搬送できるので、この搬送姿勢で掃除機本体１００が邪魔になることがなく、更に携帯しやすい掃除機本体１００を提供できる。
【００１６】
以下、図２から図１０を参照して、この特徴ある掃除機本体１を更に詳細に説明する。
【００１７】
先ず、図２を参照してこの実施の形態に係る掃除機本体１００の部品構成を説明する。図２は、この掃除機本体１００の部品展開図である。図２において、この実施の形態に係る掃除機本体１００は、この掃除機本体１００の下部を構成する基台ケース１１１と、この基台ケース１１１の後方上部を構成する上ケース１１２と、この基台ケース１１１の前方上部に着脱可能に取り付けられる主集塵室１０７と、この基台ケース１１１の前部を構成する前ケース１１３と、この前ケース１１３の前方に取り付けられるホース接続部１０３と、前記基台ケース１１１の両側を保持するサイドパネル１１４などから構成される。
【００１８】
前記基台ケース１１１は、この掃除機本体１００の基台となるものであり、底面前部には前記自在車輪１０２が設けられ、後方の両側には前記主車輪１０１が設けられている。前記主車輪１０１は、両側に取り付けられるサイドパネル１１４によってその大部分が隠蔽され、掃除機本体１００の下部からその一部が露出して車輪としての機能を果たすようになっている。また、基台ケース１１１の前部には、前ケース１１３が取り付けられる。この前ケース１１３およびサイドパネル１１４は基台ケース１１１との間に空間をもって取り付けられる。これによって、衝撃に対するバンパー機能を備えるようにするとともに、基板１１５などの配置空間を構成し、更に意匠性をも向上させている。
【００１９】
また、前記ホース接続部１０３は、前記前ケース１１３を介して、あるいは直接的に基台ケース１１１に取り付けられる。このホース接続部１０３は前方に張り出して形成されることで、前記吸引ホース２００を取り付けるホース取付部１１６の強度を維持させている。また、この実施の形態では、この強度を利用して、このホース接続部１０３に本体ハンドル部１０４を設けている。この本体ハンドル部１０４は、掃除機本体１００の前側上部に取り付けられているので、この掃除機本体１００を縦姿勢で保持することができる。
【００２０】
前記基台ケース１１１は、前部、両側面、後部に連続して立ちあがった壁面が形成され、その内空間１１７は、この内空間１１７のほぼ中央に形成される仕切壁１１８を介して、前部内空間１１９と、後部内空間１２０とに前後２分割される。
【００２１】
図３において、前記前部内空間１１９は、前部通路仕切壁１２１を介して、左右幅が広い集塵ケース収納室１２２と、左右幅が狭い前部通路１２３とに左右分割される。一方、後部内空間１２０は、２枚の仕切壁１２４，１２５により左右３分割される。１つは、前記前部通路１２３と連通する後部通路１２６、他の２つは、中央の送風機室１２７と、片側の電源室１２８である。
【００２２】
図２に戻り、送風機室１２７は、図示しないリブが形成され、送風機１０８が取り付けられる。また、電源室１２８は、底面（基台ケース１１１）に設けた開閉蓋１２９を介して開放可能な充電池取出口１３０（図７参照）が設けられ、この充電池取出口１３０を介して、充電パック１０９ａが着脱可能に取り付けられる。
【００２３】
そして、図３に示すように、前記仕切壁１２１、１２４，１２５には、前記集塵ケース収納室１２２と前部通風路１２３と後部通風路１２６と送風機室１２７と電源室１２８を連通する通風穴１３１（１３１ａ、１３１ｂ、１３１ｃ）がそれぞれ形成される。更に、前記後部通路１２６と送風機室１２７を連通する通風穴１３１ｂには第２フイルタ１４２が取り付けられる。また、図２に示すように、前記前部通路１２３には前部通風路カバー１３２がネジを介して取り付けられ、後部内空間１２０は上ケース１１２がネジを介して取り付けられる。これによって、前記集塵ケース収納室１２２から電源室１２８に至る密閉された空気流の通風路が形成される。
【００２４】
また、前記集塵ケース収納室１２２には、横姿勢の円柱形状の前記主集塵室１０７が着脱可能に取り付けられる。この主集塵室１０７は、透明な樹脂材料で形成されるほぼ円柱形状の集塵ケース１３３と、この集塵ケース１３３の長手方向の一方に形成される開口部１４０を覆う集塵カバー１３４等から構成される。前記集塵ケース１３３は、前記集塵ケース収納室１２２に横姿勢で配置され、長手方向の一方が開口したカップ形状を備えており、前方位置となる周側面の開口側に前記ホース取付部１１６と連通する空気取入口１３５が形成される。
【００２５】
また、この集塵ケース１３３には周側面に隣接して副集塵室１１０が形成される。この副集塵室１１０は、集塵ケース１３３と連通口１３６（図３参照）を介して連通され、主集塵室１０７で空気流から取得された塵埃を前記連通口１３６から取り込んで蓄積することができる。
【００２６】
前記集塵カバー１３４は、円板状の保持部材１３７と、この保持部材１３７の内面中央に内方に張り出した筒体１３９とから構成され、前記保持部材１３７を介して前記集塵ケース１３３の開口部１４０に着脱可能に取り付けて密閉された空間を構成する。前記筒体１３９は、集塵ケース１３３に集塵カバー１３４が取り付けられた状態において、その先端を主集塵室１０７の中央部分に位置させ、他端は前記保持部材１３７に開口して形成され、この開口した開口部１４３にネット状の第１フイルタ１４１が取り付けられている。
【００２７】
この主集塵室１０７は、前記空気取入口１３５を前記ホース取付部１１６に連通させ、かつ前記集塵カバー１３４を前記前部通路１２３側に位置する姿勢で集塵ケース収納室１２２に取り付けられる。これにより、吸引ホース２００から吸い込んだ塵埃を含んだ空気流を前記主集塵室１０７に取り込んで、塵埃を取り除き、この塵埃が取り除かれた空気流を前部通路１２３、後部通路１２６、送風機室１２７、電源室１２８、そして外部に排出する空気流の通風路を構成している。
【００２８】
なお、この実施の形態では、一方が開放したカップ状の副集塵室１１０の内部に、一方が開放したコップ状の主集塵室１０７を配置し、副集塵室１１０及び主集塵室１０７の開放部分を前記集塵カバー１３４で覆う構成とすることで、部品点数を少なくしてゴミ捨てを容易にしている。
【００２９】
次に、図３から図５を参照して、この発明に係る掃除機本体１００の内部構造をさらに説明する。図３は掃除機本体１００の水平断面図、図４は掃除機本体１００の送風機室１２７を含む縦断面図、図５は掃除機本体１００の電源室１２８を含む縦断面図である。
【００３０】
先ず、図３において、この実施の形態では、ホース接続部１０３（図面左側）からみて、長手方向を左右とする集塵ケース収納室１２２の後方に前記送風機室１２７と電源室１２８を並べて配置している。そして、この集塵ケース収納室１２２と前記送風機室１２７の右側に、この集塵ケース収納室１２２の右側から直線的に後方に伸びて前記送風機室１２７と隣接する通風路（前部通風路１２３と後部通風路１２６）を並べて設けている。この集塵ケース収納室１２２には、副集塵室１１０を一体に備えた主集塵室１０７が着脱可能に取り付けられる。そして、前記前部通路１２３には、通風穴１３１ａを介して、主集塵室１０７の前記開口部１４３が密着して取り付けられる。
【００３１】
一方、前記後部通路１２６には送風機室１２７に設けた送風機１０８が前記通風穴１３１ｂを介して密着して取り付けられる。この実施の形態では、この送風機１０８を、フアンを内蔵した送風部１０８ａを後部通路１２６に隣接させる横姿勢、即ち、前記送風部１０８ａの左側に配置される駆動部１０８ｂの回転軸が横位置となる姿勢で送風機室１２７に配置している。これにより、主集塵室１０７と送風機１０８を直線的に連通することができるので、吸引効率を向上させることができる。
【００３２】
更に、横配置の主集塵室１０７と送風機１０８を、これと直交する直線的な通風路（前部通風路１２３と後部通風路１２６）で連通しているので、前部通風路１２３には十分な大きさを備えた第１のフイルタ１４１を、後部通風路１２６には十分な大きさを備えた第２のフイルタ１４２を配置するスペースを確保することができる。
【００３３】
また、前記電源室１２８は、送風機室１２７の左側、即ち前記駆動部１０８ｂ側に隣接して配置されるので、送風部１０８ａから駆動部１０８ｂを経て（冷却して）送風機室１２７内に排出される空気流を電源室１２８内に簡単に導くことができる。
【００３４】
前記電源室１２８には、複数の充電池からなる充電パック１０９ａが収納される。この充電パック１０９ａを構成する充電池は各種の充電池が使用可能であるが、この実施の形態では、円柱状の充電池（セル）を１６セル組み合わせて１９．２ボルト、重量８７０グラムのものを採用している。そして、この実施の形態では、前記円柱状の充電池を、その長手方向を掃除機本体１００の上下方向と一致させて、上下に２個配列し、これを前後方向に４列、左右方向に２列とする略直方体の形状を備えた充電パック１０９ａとしている。また、この電源室１２８には、掃除機本体１００の背面に露出する充電端子部１４４が形成される。
【００３５】
前記掃除機本体１００の両側には、基台ケース１１１とサイドパネル１１４とで形成される偏平な側方空間１４５が形成され、この側方空間１４５に大車輪１０１が収められるとともに、この空間を利用して基板１１５が配置されている。また、この側方空間１４５には、前記電源室１２８に送り込まれた空気流が供給されて、この側方空間１４５に形成される排気口１４６から外部に排出される。この際、外部に排気される空気流の一部は側方空間１４５内に流入するので、前記基板１１５を冷却することができる。
【００３６】
図３、４、５において、この実施の形態では、前記副集塵室１１０を前記円柱形状の主集塵室１０７に隣接して設けている。例えば、この実施の形態では、集塵ケース１３３を断面形状をほぼトラック状に形成し、これを仕切壁１４７を設けることにより、主集塵室１０７の断面形状が円形となるように形成している。この主集塵室１０７と副集塵室１１０は、カップ形状の底部分に近い前記仕切壁１４７に形成される連通口１３６（図３参照）によって連通される。この主集塵室１０７で分離された塵埃は連通口１３６を介して副集塵室１１０に集められ、主集塵室１０７に塵埃が堆積するのを減少させている。なお、この実施の形態では、前記副集塵室１１０を前記主集塵室１０７と同様に一方が開口した形状としており、この開口部を前記集塵カバー１３４で塞ぐ構造としている。
【００３７】
また、この実施の形態では、この主集塵室１０７を集塵ケース収納室１２２に取り付けた状態で、前記副集塵室１１０が下方に位置するように取り付けられる。この実施の形態では、前記主集塵室１０７の直径を前記送風機１０８の送風部１０８ａの直径より小さくし、かつ、トラック形状の前記集塵ケース１３３の長い径（上下の高さ）を前記送風機１０８の送風部１０８ａの直径とほぼ同じ長さに設定している。これにより、掃除機本体１００の前後の長さを小さく、かつ偏平な掃除機本体１００を実現しつつ、副集塵室１１０の配置スペースを確保した実相効率が良好なコンパクトな掃除機本体１００を実現している。
【００３８】
また、サイクロン方式の集塵室の場合、塵埃を含んだ空気流を、この集塵室に取り込むためには、前記空気取入口１３５が円周方向となるようにしなければ良好な渦巻流を作ることができない。この実施の形態では、前記主集塵室１０７を横配置としているために、この横配置の主集塵室１０７に円周方向の空気取入口１３５を設けようとした場合、吸引ホース２００のホース取付部１１６を掃除機本体１００の上方位置か、下方位置に設けなければならない。上方位置に取り付けた場合、このホース取付部１１６の上方に設けられる本体ハンドル部１０４が上方に大きく飛び出すこととなる。また、下方位置に設けた場合は、吸引ホース２００が床面に近い位置に取り付けられることとなり、走行性に課題が残る。もちろん、前記ホース取付部１１６を斜めに設けてもよいが、この場合、吸引ホース２００を斜めに取り付けることとなり、吸引ホース２００による引っ張り走行や収納時の吸引ホース２００の収納性に課題が残る。
【００３９】
この実施の形態では、前記ホース取付部１１６を掃除機本体１００のほぼ中央（上下方向）に設け、前記主集塵室１０７を掃除機本体１００の中央から上方位置に取り付けられるようにする。そして、この主集塵室１０７の下部空間に副集塵室１１０を設けるようにすることで、前記吸引ホース２００の取り付け性を向上しつつ、掃除機本体１００の実相効率を向上させている。
【００４０】
次に、図３から図５を参照して、吸気流の流れについて説明する。先ず、この実施の形態では、図１に示す手元ハンドル３００に設けた操作スイッチ３０１を操作することで、この操作信号が吸引ホース２００内に配線した信号線を介してホース取付部１１６に伝達され、この信号が掃除機本体１００内に配線される図示しない信号線を介して前記基板１１５に伝達され、この基板１１５が前記送風機１０８を駆動させる。
【００４１】
この送風機１０８が駆動すると、前記吸引ホース２００からこの掃除機本体１００内に取り込まれる塵埃を含んだ空気流は以下の経路を経て掃除機本体１００外に排気さされる。
【００４２】
先ずホース取付部１１６に引き込まれた空気流は、前記円周方向に斜めに形成される空気取入口１３５に直線的（図４参照）に抵抗なく（低く押さえられて）引き込まれ、主集塵室１０７に取り込まれる。この取り込まれた空気流は塵埃とともに主集塵室１０７の円周内面に沿って主集塵室１０７の底（図３中の上方）、即ち、渦を描いて右側から左側に向かって移動し、円柱の軸中心付近から左側から右側に移動して前記主集塵カバー１３４の筒体１３９の先端に導かれる。ここで、空気流は前記左方向から右方向に転じる際に塵埃と分離され、分離されてもまだ空気流に含まれる塵埃は前記主集塵カバー１３４に設けた筒体１３９の他端に設けたネット状の第１フィルタ１４１で取り除かれる。一方、前記主集塵室１０７で分離された塵埃は、この主集塵室１０７の底付近に形成される連通口１３６から副集塵室１１０に移動して、この副集塵室１１０に蓄積される。
【００４３】
また、この実施の形態では、主集塵室１０７を横姿勢としているため、送風機１０８の始動時に主集塵室１０７内に残った塵埃が第１フイルタ１４１に直接吸い取られて、塵埃の分離効率を落とすことが懸念される。しかし、この実施の形態では、円柱形状の主集塵室１０７の中心に設けた筒体１３９の先端から空気流が引き出されるので、渦流はこの筒体１３９と主集塵室１０７の内壁面の間を渦を描いて回転しながら移動することとなる。したがって、電源が切られて送風機１０８が停止した場合、塵埃は筒体１３９の下部、即ち、筒体１３９と集塵ケース１３３の内面壁との間に落下し、再び送風機１０８が始動しても、前記筒体１３９の下部に落下した塵埃は、円柱形状の内壁面を移動して、筒体１３９の先端から吸引されるため、塵埃が直接第１フイルタ１４１に導かれることを軽減することができる。
【００４４】
前記第１フイルタ１４１で塵埃を取り除かれた空気流は、直線的に形成された前部通路１２３から後部通路１２６を経て、通風穴１３１ｂに設けた第２フイルタを通過して、更に塵埃が取り除かれて送風部１０８ａに取り込まれる。したがって、この実施の形態では、送風部１０８ａまでの通風路の屈曲が少ないため吸引力の損失が少ない。
【００４５】
送風部１０８ａに取り込まれた空気流は、駆動部１０８ｂに吹きつけられることで、駆動部１０８ｂを冷却して駆動部１０８ｂの周囲の送風機室１２７に送り込まれる。この送風機室１２７には消音材１４８が配置されており、この消音材１４８で形成された図示しない通風路を介して仕切壁１２５に設けた通風穴１３１ｃを介して電源室１２８に導かれる。この電源室１２８では、前記空気流を充電パック１０９ａの周囲を通過させることで、これを冷却させている。
【００４６】
そして、空気流は、この電源室１２８からこの電源室１２８に隣接する側方空間１４５に送り込まれ、さらに、この電源室１２８に隣接するサイドパネル１１４に形成した排気口１４６から外部に排気される。この際、側方空間１４５に送り込まれた空気流の一部は、この側方空間に設けられる基板１１５に送られる。これにより、基板１１５を冷却することができる。
【００４７】
なお、この実施の形態では、側方空間１４５を介して、電源室１２８に隣接する排気口１４６から空気流を排出する構造としたが、これに限定されるものではない。例えば、電源室１２８の空気流を両側の側方空間１４５に連通する図示しない通路を形成し、さらに、この側方空間１４５に、所定の間隔で開口する排気口１４６を備えるようにしてもよい。この実施の形態によれば、掃除機本体１００の両側面全体から空気流を分散排気するので、排気流の勢いを減少させて、ほこりの舞いあがりを軽減したり、更には騒音あるいはこれら空気流が足などに当たって使用者に不快感を与えることを軽減することができる。さらに、サイドパネル１１４に配置される基板１１５の冷却効率も向上させることができる。
【００４８】
次に、図６、図７を参照して、この実施の形態の掃除機本体１００の外観を説明する。図６は掃除機本体の外観斜視図であり、（ａ）図が正面側からみた斜視図、（ｂ）図は他の応用例を示す斜視図である。図７は掃除機本体の外観図で、（ａ）図が平面図（ｂ）図が正面図（ｃ）図が底面図（ｄ）図が左側面図（ｅ）図が右側面図（ｆ）図が背面図である。
【００４９】
図６、図７において、この実施の形態に係る前記掃除機本体１００は、内部の装置構成に合わせた全体の高さが低くい偏平な外観を備えている。この実施の形態では、使用者がショルダベルト１０６（図１０（ｃ）図参照）を介して肩に担いで使用した際に大車輪１０１が使用者の衣服に触れない構造を備えている。
【００５０】
先ず、この実施の形態では、内部の横姿勢の主集塵室１０７と、これに並設される送風機室１２７と電源室１２８をサイドパネル１１４で挟んだ構成としている。そして、側面からみて、このサイドパネル１１４の前後端部を集塵ケース１３３と送風機１０８の外形に合わせて丸み形状とすることで、前後が大きな丸みを備え、両側面が偏平な外観を備えた偏平な外観形状としている。これにより、デッドスペースが少ない、低重心の掃除機本体１００を実現している。
【００５１】
更に、この掃除機本体１００の前部に丸味を持たせることにより、走行時の障害物の乗りあげ走行が向上する。更に、掃除機本体１００の後部の丸味は、この丸味形状に合わせて大車輪１０１を設けることで、自在車輪１０２を床面に接触させた横姿勢から、背面部を床面に隣接するような縦姿勢（収納姿勢）を容易に取らせることができる。
【００５２】
また、この実施の形態では、掃除機本体１００の右側面を構成するサイドパネルの両端部（前後部）にショルダベルト取付部１０５を備えている。このショルダベルト取付部１０５にショルダベルト１０６を取り付けることにより、本体の上面を使用者側とする図１０（ｃ）図に示す搬送姿勢をとることができる。
【００５３】
図１０（ｃ）図において、この搬送姿勢では、偏平な掃除機本体１００を横姿勢で搬送できるので、掃除機本体１００を使用者に密着させることができる。これにより、掃除機本体１００がドアや柱などに当たるのを軽減できる。また、掃除機本体１００の広い面を使用者に密着させることができるので、使用者の肩にかかる負担を軽減できるとともに、搬送中の掃除機本体１００のふらつきを軽減できるので、搬送性を向上できる。
【００５４】
また、この実施の形態では、大車輪１０１をサイドパネル１１４で覆っているので、大車輪１０１（自在車輪１０２含む）が使用者に触れて衣服を汚すことを軽減することができる。また、搬送姿勢で上面となる右側面を平滑面とすることで、この平滑面に肘をおいて、この肘と、ショルダベルト１０６を保持する肩と、ショルダベルト１０６を握る手とで、掃除機本体１００を片手で安定支持できるので、一方の手で掃除機本体１００を保持して、他の手で手元ハンドル部３００を保持する搬送姿勢での清掃性を向上することができる。また、この際、この実施の形態では、左側面に排気口１４６を備えているので、前記搬送姿勢においては、排気が下方に排気されるので、清掃中に排気が周囲に向かって排気されることがない。
【００５５】
図６、７に戻り、この実施の形態では、集塵ケース収納室１２２が上部に開放しているので、この集塵ケース収納室１２２に収納される透明な集塵ケース１３３を上方より確認することができる。したがって、使用者は、この集塵ケース収納室１２２の上部が覗き窓の機能を備えているので、集塵ケース１３３の塵埃のたまり具合を把握することができる。仮に、塵埃がいっぱいであれば、この集塵ケース収納１２２室の上部開放を利用して集塵ケース１３３を簡単に着脱することができる。
【００５６】
また、この実施の形態では、偏平な掃除機本体１００の前部中央にホース接続部１０３が前方に張り出して設けられている。このホース接続部１０３の上部には本体ハンドル部１０４が設けられ、下部には障壁乗り超え用のガイド部１４９が張り出して設けられる。前記本体ハンドル部１０４は、正面（（ｂ）図）からみて環状をなすように形成されることで、この本体ハンドル部１０４の上部に形成される握部１０４ａを保持する使用者は、掃除機本体１００を横姿勢でも縦姿勢でも、あるいは、この握部１０４ａを持って引きあげることで横姿勢から縦姿勢に変化させて掃除機本体１００を持つことができる。
【００５７】
前記ガイド部１４９は、ホース接続部１０３の下部中央に形成され、前方が高位置で、後方が低い位置となる傾斜面で形成され、敷居などの障害物を乗り超えやすい形状としている。
【００５８】
また、この実施の形態では、前記ホース接続部１０３に本体ハンドル部１０４を設けた形状としているが、例えば、図６（ｂ）図に示すように、吸引ホース２００の取付部２０１に本体ハンドル部１０４ａを設ける構造としても同様な作用効果を得ることができる。更に、この本体ハンドル部１０４ａは、吸引ホース２００と一体のものに限定されるものではなく、例えば、継ぎ手に本体ハンドル部１０４ａを形成し、この継ぎ手の一方を前記掃除機本体１００に接続し、他の一方に吸引ホース２００を取り付ける構造としてもよい。
【００５９】
図７において、（ａ）図において、前記上ケース１１２には、第２フイルタ１４２を着脱するための開閉蓋１５０ａ付のフイルタ取出口１５０が取り付けられている。また、（ｃ）図において、この実施の形態では、掃除機本体１００の底面に充電パック１０９ａを着脱するための開閉蓋１２９を備えた充電池取出口１３０を備えている。しかし、これに限定されるものではなく、掃除機本体１００の上面に充電池取出口１３０を設けるようにしてもい。更に、（ｆ）図において、この実施の形態では、掃除機本体１００の背面は、充電端子部１４４以外の機能構成がないすっきりした形状としている。
【００６０】
なお、この実施の形態では、掃除機本体１００の前後の長さを２７０ｍｍ、横幅を２４０ｍｍ、高さを１３６ｍｍに設定している。
【００６１】
次に、図８から図１０を参照して、この実施の形態に係る掃除機１の使い勝手を説明する。図８は、充電姿勢を示す掃除機の側面図で、（ａ）図が充電台６００に装着する状態の側面図、（ｂ）図が主集塵室１０７の着脱状態を示す側面図である。図９は充電台６００に電気掃除機１を装着する状態図であり（ａ）図が装着しようとする状態の斜視図、（ｂ）図が充電台６００に電気掃除機１を装着した斜視図である。図１０は清掃状態の斜視図であり（ａ）図が掃除機本体１００を床面Ｇに設置した状態での清掃姿勢を示す斜視図、（ｂ）図は片手で掃除機１を保持した状態での清掃姿勢を示す斜視図、（ｃ）図はショルダベルト１０６で掃除機本体１００を保持した状態での清掃姿勢の斜視図である。
【００６２】
先ず、図８、図９において、この実施の形態では、充電台６００に取り付けることで前記充電パック１０９に充電することができる。この充電台６００には掃除機本体１００に吸引ホース２００を接続した状態で取り付けることができる。例えば、使用者がこの充電台６００に取り付ける際には、前記本体ハンドル部１０４を保持する。本体ハンドル部１０４は正面上部に設けられているので、この本体ハンドル部１０４が把持されることで、掃除機本体１００は自在車輪１０２が外側に張り出して傾いた縦姿勢となる。
【００６３】
一方、充電台６００は、上方に張り出した支柱６０１を備え、この支柱６０１の一方に、前記掃除機本体１００を取り付けるためのＬ型（側面からみて）の本体取付部６０２を備え、支柱６０１の他方に延長管４００を接続するための延長管取付部６０３を備えている。この本体取付部６０２は、前記掃除機本体１００の傾きにあった傾斜面と、充電端子受部６０４を備えたほぼ水平な支持面を備えている。
【００６４】
この実施の形態によれば、使用者は、本体ハンドル部１０４を把持して前記本体取付部６０２の傾斜面に大車輪１０１を備えた底面を接触させながら下方に降ろすと、この傾斜面がガイド面となって、掃除機本体１００の充電端子部１４４と、前記充電端子受部６０４とを連結させ、かつ、この掃除機本体１００を安定支持することができる。一方、延長管４００は前記延長管取付部６０３によって支持される。更に、前記充電台６００は、吸引ホース２００を接続した掃除機本体１００を前記本体取付部６０２に連結した状態で安定支持可能なように、床面に対して十分な広い接触面を備えている。また、この充電台６００には、内部に交流直流変換器を備え、外部に充電時に点灯し充電が終了すると消灯する図示しない充電ランプを備えている。
【００６５】
また、図８（ｂ）図に示すように、この実施の形態によれば、掃除機本体１００は、その上面部を上方に向ける傾斜姿勢で充電台に収納・支持される。したがって、使用者は、掃除機本体１００の上面に露出する主集塵室１０７を高い位置で、しかも見易い角度で観察することができる。また、この観察しやすい角度であれば、主集塵室１０７や第２フイルタ１４２の着脱も、この収納姿勢で容易に行うことができる。更に、この実施の形態では、充電池取出口１３０を底面に設けたが、上面に設ければ、前記充電パック１０９ａを容易に着脱することができる。
【００６６】
次に、図１０（ａ）図において、この実施の形態では、偏平な掃除機本体１００を、床面に対してほぼ平行となる姿勢で床面Ｇに設置させることができる。これにより、手元ハンドル部３００を介しての引っ張り走行を行っても重心が低いために転倒しにくく、かつ安定走行が可能である。また、この実施の形態では、掃除機本体１００の両側に配置される大車輪１０１の間に、重量のある送風機１０８と充電パック１０９ａを配置し、掃除機本体１００の前方に設けた自在車輪１０２の上部に比較的軽量な主集塵室１０７を配置したので、旋回性能や乗り超え性能を向上させることができる。
【００６７】
また、この実施の形態では、掃除機本体１００の上面前部に張り出した本体ハンドル部１０４を備えているので、使用者は、前記本体ハンドル部１０４を無理な姿勢を強いることなく（ａ）図の清掃姿勢から、（ｂ）図に示す片手で掃除機本体１００を保持する姿勢を取ることができる。また、この片手で保持する姿勢では、他の手で手元ハンドル部１０３を保持して清掃することもできる。この清掃姿勢では、本体ハンドル部１０４を保持することで、掃除機本体１００を縦長の姿勢で保持することができる。しかも、大車輪１０１はサイドパネル１１４で保護されているので、大車輪１０１で使用者の衣類を汚すことを軽減することができる。また、掃除機本体１００の上面を使用者に密着させる姿勢で保持することで、掃除機本体１００や吸引ホース２００が周囲の壁面や柱などに触れることを軽減しながら、清掃作業や搬送を行うことができる。
【００６８】
更に、ショルダベルト１０６を装着すれば、（ｃ）図に示すような取り扱いが容易な清掃作業や搬送姿勢をとることができる。なお、（ｃ）図の詳細な説明はすでに説明したので重複した説明を省略する。
（第２の実施の形態）
次に、図１１、図１２を参照して、第２の実施の形態を説明する。図１１は第２の実施の形態に係る掃除機本体１００ａの水平断面図、図１２は掃除機本体１００ａの縦断面図である。この実施の形態は、送風機１０８の配置を駆動部１０８ｂの軸方向を掃除機本体１００ａの前後方向と一致させたものである。
【００６９】
図１１、１２において、この実施の形態では、後部通路１２６を前部通路１２３に対して直角に屈曲させて、主集塵室１０７と送風機室１２７との間に配置している。そして、掃除機本体１００ａの前後方向のほぼ中央に配置される後部通路１２６に対して、送風部１０８ａの吸引部を接するように送風機１０８を配置している。この実施の形態によれば、前部通路１２３に引き込まれた空気流は、前記後部通路１２６に導かれ、前記送風部１０８ａに取り込まれ、駆動部１０８ｂを冷却して送風機室１２７内に排出される。そして、第１の実施の形態と同様に、送風機室１２７から電源室１２８、更に側方空間１４５を介して排気口１４６から外部に排気される。
【００７０】
また、この実施の形態では、前記後部通路１２６に着脱可能な第２フイルタ１４２を配置している。この第２フイルタ１４２は、後部通路１２６と送風機室１２７とを前後に仕切る仕切壁１２４の後部通路１２６側に配置され、例えば、掃除機本体１００の底面に設けたフイルタ取出口１５０から着脱することができる。
【００７１】
この実施の形態によれば、掃除機本体１００の両側に重量のある前記送風機１０８と電源供給部１０９（この実施の形態では充電パック１０９ａ）を左右に振り分けて配置することができるので、左右の重量バランスを向上させて、直進走行性などの走行性や旋回性を向上させることができる。
（第３の実施の形態）
次に、図１３、図１４参照して、第３の実施の形態を説明する。図１３は第３の実施の形態に係る掃除機本体１００ｂの水平断面図、図１４は掃除機本体１００ｂの縦断面図である。この実施の形態は、電源室１２８に配置される電源供給部１０９を、家庭内配線から電源をコードを介して入手するためのコードリール装置１０９ｂとした事例である。
【００７２】
この実施の形態では、前記コードリール装置１０９ｂをコンパクトに配置するために、掃除機本体の左右方向と回転軸を一致するように、コードリール装置１０９ｂの円形状のリールを配置する。即ち、前記大車輪１０１と隣接するように配置する。また、この実施の形態では、前記リールの回転軸と駆動部１０８ｂの回転軸をほぼ一致させることで、外観を円形を基調とする送風機１０８とコードリール装置１０９ｂをコンパクトに掃除機本体を内蔵することができる。
【００７３】
また、電源供給部１０９をコードリース装置１０９ｂに置きかえることは、図１１、図２に示す第２の実施の形態でも可能である。
（第４の実施の形態）
次に、図１５と図１６を参照して、第４の実施の形態を説明する。図１５は第４の実施の形態に係る掃除機本体１００ｃの外観斜視図、図１６は掃除機本体１００ｃの部品展開図である。この実施の形態は、集塵ケース１３３に引き起こし可能な可動ハンドル部１５１を設け、掃除機本体１００ｃに取り付けた状態では、ホース接続部１０３に設けた本体ハンドル部１０４と連結して、把持することで、搬送性を向上するとともに、主集塵室１０７の取り扱い性を向上させることができる。
【００７４】
図１５、１６において、この実施の形態１００ｃは、この掃除機本体１００ｃの下部を構成する基台ケース１１１と、この基台ケース１１１の後方上部を構成する上ケース１１２と、この基台ケース１１１の前方上部に着脱可能に取り付けられる主集塵室１０７ａと、この基台ケース１１１の前部を構成する前ケース１１３と、この前ケース１１３の前方に取り付けられるホース接続部１０３と、前記基台ケース１１１の両側を保持するサイドパネル１１４などから構成される。この実施の形態は、前記第２の実施の形態と同様な構成を備えているので、相違点を中心に説明する。
【００７５】
先ず、この実施の形態の主集塵室１０７は、円柱形状の長手方向に沿って可動ハンドル部１５１を備えている。この可動ハンドル部１５１は、握保部１５１ａの両端が主集塵室１０７の長手方向の両端側の周側面に設けられるヒンジ部１５２を介して引き起こし可能に取り付けられている。この可動ハンドル部１５１は、図示しないバネなどを介して、常に、主集塵室１０７の周側面に接触する方向に作用するようになっている。そして、主集塵室１０７を集塵ケース収納部１２２に装着した状態で、この可動ハンドル部１５１がホース接続部１０３の上部に設けられる本体ハンドル部１０４の上端に位置するように構成する。一方、ホース接続部１０３の上部に設けられる本体ハンドル部１０４は、その上端が平坦面となっているため、前記主集塵室１０７を取り付けた状態でこの可動ハンドル部１５１と本体ハンドル部１０４が一体化したハンドル部を構成する。
【００７６】
したがって、使用者は、主集塵室１０７が集塵ケース収納部１２２に取り付けられた状態では、一体化したハンドルを保持して掃除機本体１００を搬送することができる。一方、主集塵室１０７を外す場合は、この可動ハンドル部１５１を保持して取り扱うことができる。他方、主集塵室１０７が取り外された掃除機本体１００ｃは、前記本体ハンドル部１０４を介して搬送することができる。
【００７７】
この可動ハンドル部１５１によれば、主集塵室１０７と掃除機本体１００ｃにそれぞれ設けた２つのハンドルが主集塵室１０７を取り付けた状態では一体化されるので、それぞれの状態の取り扱い性を損なうことなく装置のコンパクトが図れる。
（第５の実施の形態）
次に、図１７から図２０を参照して、第５の実施の形態を説明する。図１７は第５の実施の形態に係る掃除機本体１００ｄの主集塵室１０７を取り出した状態の外観図、図１８は掃除機本体１００ｄの部品展開図、図１９は掃除機本体１００ｄの水平断面図、図２０は掃除機本体１００ｄの縦断面図である。
【００７８】
この第５の実施の形態に係る掃除機本体１００ｄは、この掃除機本体１００ｄの後方に主集塵室１０７を配置し、その前部に送風機１０８と電源供給部１０９を配置したものである。更に、この実施の形態では、第３フイルタ１７０として空気清浄能力の高い清浄フィルタを備えている。
【００７９】
図１７、図１８において、この実施の形態では、この掃除機本体１００ｄの下部を構成する基台ケース１６０と、この基台ケース１６０の前方上部を構成する上ケース１６１と、この基台ケース１６０の後方上部に着脱可能に取り付けられる主集塵室１０７と、この基台ケース１６０の前部を構成する前ケース１１３と、この前ケース１１３の前方に取り付けられるホース接続部１０３と、前記基台ケース１６０の両側を保持するサイドパネル１６２と、このサイドパネル１６２の後方両側に配置される車軸窓１６３などから構成される。
【００８０】
前記基台ケース１６０は、この掃除機本体１００の基台となるものであり、底面前部には前記自在車輪１０２が設けられ、後方の両側には、円形状の前記車軸窓１６３を回転軸受部とするリング状の主車輪１０１ａが設けられている。前記主車輪１０１ａは、両側に取り付けられるサイドパネル１６２によってその大部分が隠蔽され、掃除機本体１００の下部からその一部が露出して車輪としての機能を果たすようになっている。また、基台ケース１６０の前部には、前ケース１１３が取り付けられる。この前ケース１１３およびサイドパネル１６２は基台ケース１６０との間に空間をもって取り付けられる。これによって、衝撃に対するバンパー機能を備えるようにするとともに、意匠性をも向上させている。
【００８１】
また、前記ホース接続部１０３は、前記前ケース１１３を介して、あるいは直接的に基台ケース１６０に取り付けられる。このホース接続部１０３は前記ホース取付部１１６や本体ハンドル部１０４及びガイド部１４９を備えている。
【００８２】
前記基台ケース１６０は、前部、両側面、後部に連続して立ちあがった壁面が形成され、その内空間１６４は、この内空間１６４のほぼ中央に形成される仕切壁１６５を介して、前部内空間１６６と、後部内空間１６７とに前後２分割される。
【００８３】
図１９、図２０において、前記前部内空間１６６は、２つの仕切壁１６８，１６９を介して左右に分割される。中央には送風機１０８と第３フイルタ１７０が配置される横幅の広い送風機室１７１が配置され、その両側には基板１１５が配置される基板配置室１７２と前部通路１７３が配置される。
【００８４】
一方、後部内空間１６７は、仕切壁１７８を介して、左右に分割され、一方に前記前部通路１７３と連通する後部通路１７９が配置され、他方は前後に２分割され、前方には充電パック１０９ａが配置される電源室１７４が配置され、後方には上方が開放した集塵ケース収納室１７５が形成される。
【００８５】
前記電源室１７４は、図２０に示すように、前後に隣接する断面が円形の送風機１０８と集塵ケース収納室１７５の間の変形空間（下方が広く上方が狭い）を利用して形成される。そして、この変形空間に、セルの長手方向を左右方向として、下段が前後２列で中断及び上段が１列で上下方向に積み重ね、左右方向に各段４個直列に並べて配置される充電パック１０９ａを配置している。この充電パック１０９ａは、基台ケース１６０の底面に形成した開閉蓋１２９を有する充電池取出口１３０から着脱可能に取り付けられる。
【００８６】
また、前記集塵ケース収納室１７５には、前記第１の実施の形態と同様な前記主集塵室１０７が取り付けられる。ここで、第１の実施の形態と違うのは、空気取入口１３５が上部に取り付けられている点である。この空気取入口１３５は、継ぎ手ダクト１７６が取り付けられ、連通ダクト１７７を介して前記ホース取付部１１６と連通される。
【００８７】
前記連通ダクト１７７は、送風機１０８の上部を迂回するように配置される。この実施の形態では、送風機１０８の駆動部１０８ｂが中央部に位置するように配置される。この駆動部１０８ｂの直径は、前部通路１７３に隣接する送風部１０８ａの直径に比べて小さいので、この直径の段差の空間を利用して前記連通ダクト１７７を配置している。また、主集塵室１０７に取り付けられる継ぎ手ダクト１７６は、連通ダクト１７７と分離して取り外せるので、図１７に示すように、主集塵室１０７を簡単に取り外すことができる。
【００８８】
前記前部内空間１６６は、前記上ケース１６１によって密閉された空間が構成され、更に前記電源室１７４及び後部通路１７９もまた上方が封鎖されて密閉された空間とされる。更に、前記仕切壁などには図示しない通気穴が形成される。これによって、前記集塵ケース収納室１７５、後部通路１７９、前部通路１７３、送風機室１７１、基板配置室１７２、電源室１７４と連通する通風路が形成される。
【００８９】
また、前記集塵ケース収納室１７５の両側に位置する前記基台ケース１６０の壁面には円形の透明窓１８０が形成される。この透明窓１８０に前記車軸窓１６３が取り付けられる。そして、この車軸窓１６３の周囲にリング状の主車輪１０１ａが取り付けられ、これをサイドパネル１６２で覆う構造としている、サイドパネル１６２には前記車軸窓１６３が露出する開口部１８１が形成されているので、リング状の主車輪１０１ａが隠蔽されながらも、その中央の窓から内部を除くことができる。
【００９０】
次に、図１９、図２０を介して、この実施の形態に係る掃除機本体１００ｄの空気流の経路を説明する。先ず、ホース取付部１１６から引き込まれた塵埃を含んだ空気流は、連通ダクト１７７と継ぎ手ダクト１７６を介して空気取入口１３５から主集塵室１０７に取り込まれる。主集塵室１０７に取り込まれた空気流は塵埃が分離され、更に集塵カバー１３４に設けた第１フイルタ１４１で塵埃が取り除かれた空気流は、前記後部通路１７９に導かれ、更に前部通路１７３に取り込まれて、第２フイルタ１４２を通過させて更に塵埃を取り除かれて送風機室１７１に取り込まれる。送風機室１７１では、駆動部１０８ｂを冷却した後、第３フイルタ１７０を通過させることで、更に空気流から細かな粉塵や臭いが取り除かれて、基板配置室１７２に送り込まれる。
【００９１】
ここで、この実施の形態で採用する第３フイルタ１７０は、抗菌防臭を含む３段階のフィルタからなるものである。即ち、ダニや花粉、カビの胞子はもちろんダニのフンなどの微細なチリもとれる超極細帯電層（例えばメトルブロー不織布を採用）を抗菌防臭繊維層と特殊強化層で挟んで積層したＨＥＰＡクリーンフイルターを採用している。この第３フイルタ１７０は空気清浄機などで採用されるものを採用しているので、この第３フイルタ１７０を通過させることで、室内の空気清浄をも行うことができる。例えば、この実施の形態の第３フイルタ１７０によれば、０．３マイクロメートル以上の微細なホコリを９９．９パーセント取り除いてきれいな空気を排出することができる。
【００９２】
基板配置室１７２に取り込まれた空気流は、基板１１５を冷却した後、電源室１７４に送り込まれる。電源室１７４では充電パック１０９ａを冷却した後、両側の側方空間１４５に送り込まれる。側方空間１４５には、その長手方向に沿って排気口１４６が設けてあり、この側方空間１４５に送り込まれた空気流は前記排気口１４６から分散排気される。
【００９３】
この実施の形態によれば、透明な主集塵室１０７の内部を、集塵ケース収納室１７５の上方の開口部からの確認だけでなく、両側面に設けた車軸窓１６３を介しても確認することができる。
（第６の実施の形態）
次に、図２１と図２２を参照して、第６の実施の形態を説明する。図２１は第６の実施の形態に係る掃除機本体１００ｅの主集塵室１０７を取り出した状態の外観図、図２２は掃除機本体１００ｅの水平断面図である。
【００９４】
この第６の実施の形態に係る掃除機本体１００ｅは、掃除機本体１００ｅの側面から大容量の主集塵室１０７を着脱可能にしたものである。なお、この掃除機本体１００ｅは、基本的な構造を前記掃除機本体１００ｄと共通にしている。ここでは、相違点を中心に説明し、重複した説明を省略する。
【００９５】
図２１、２２において、この実施の形態では、電源室１７４を介して、前部内空間１６６と、後方の集塵ケース収納室１７５を前後に分割する。そして、一方のリング状の大車輪１０１ａの中央から側方に引く抜くように主集塵室１０７を着脱することができる。また、他方のリング状の大車輪１０１ａの中央には、前記前部通路１７３と連通する透明な連通ダクト１８２を取り付ける。この実施の形態では、前記電源室１７４のスペースを確保するために掃除機本体１００ｅの横幅一杯まで前記電源室１７４を配置している。このため、主集塵室１０７と送風機室１７１とを連通するために、前記連通ダクト１８２を設けている。この構造によれば、主集塵室１０７の長手方向の長さを確保できるので、主集塵室１０７の直径を大きくすることなく、大容量化を図ることができる。もちろん、図１９に示すように、前部通路１７３と連通する前記後部通路１７９を形成すれば、前記連通ダクト１８２を設ける必要はない。しかし、透明な連通ダクト１８２を取り付けることにより、視覚的に空気流の清浄度を認識することができる。
【００９６】
【発明の効果】
この発明によれば、集塵効率を向上しつつ小型化が図れる電気掃除機が提供される。
【図面の簡単な説明】
【図１】第１の実施の形態に係る電気掃除機の外観斜視図である。
【図２】第１の実施の形態に係る掃除機本体の部品展開図である。
【図３】第１の実施の形態に係る掃除機本体の水平断面図である。
【図４】第１の実施の形態に係る掃除機本体の縦断面図である。
【図５】第１の実施の形態に係る掃除機本体の縦断面図である。
【図６】第１の実施の形態に係る掃除機本体の外観図である。
【図７】第１の実施の形態に係る掃除機本体の外観図である。
【図８】第１の実施の形態に係る充電姿勢を示す掃除機の側面図である。
【図９】第１の実施の形態に係る充電台に電気掃除機を装着する状態図である。
【図１０】第１の実施の形態に係る電気掃除機の清掃状態の斜視図である。
【図１１】第２の実施の形態に係る掃除機本体の水平断面図である。
【図１２】第２の実施の形態に係る掃除機本体の縦断面図である。
【図１３】第３の実施の形態に係る掃除機本体の水平断面図である。
【図１４】第３の実施の形態に係る掃除機本体の縦断面図である。
【図１５】第４の実施の形態に係る掃除機本体の外観図である。
【図１６】第４の実施の形態に係る掃除機本体の部品展開図である。
【図１７】第５の実施の形態に係る掃除機本体の主集塵室を取り出した状態の外観図である。
【図１８】第５の実施の形態に係る掃除機本体の部品展開図である。
【図１９】第５の実施の形態に係る掃除機本体の水平断面図である。
【図２０】第５の実施の形態に係る掃除機本体の縦断面図である。
【図２１】第６の実施の形態に係る掃除機本体の主集塵室を取り出した状態の外観図である。
【図２２】第６の実施の形態に係る掃除機本体の水平断面図である。
【符号の説明】
１…電気掃除機、１００…掃除機本体、１０１…主車輪、１０２…自在車輪、１０３…ホース接続部、１０４…本体ハンドル部、１０５…ショルダベルト取付部、１０６…ショルダベルト、１０７…主集塵室、１０８…送風機、１０９…電源供給部、１０９ａ…充電パック、１０９ｂ…コードリール装置、１１０…副集塵室、１１１…基台ケース、１１２…上ケース、１１４…サイドパネル、１１５…基板、１１６…ホース取付部、１１７…内空間、１１９…前部内空間、１２０…後部内空間、１２１…前部通路仕切壁、１２２…集塵ケース収納室、１２３…前部通路、１２６…後部通路、１２７…送風機室、１２８…電源室、１３０…充電池取出口、１３２…前部通風路カバー、１３３…集塵ケース、１３４…集塵カバー、１３５…空気取入口、１３７…保持部材、１３９…筒体、１４１…第１フイルタ、１４２…第２フイルタ、１４５…側方空間、１４６…排気口、１５０…フイルタ取出口、１５１…可動ハンドル部、２００…吸込ホース、３００…手元ハンドル部、３０１…操作スイッチ、４００…延長管、５００…吸口体、６００…充電台。
【図１】
2004016607.tif 000003
【図２】
2004016607.tif 000004
【図３】
2004016607.tif 000005
【図４】
2004016607.tif 000006
【図５】
2004016607.tif 000007
【図６】
2004016607.tif 000008
【図７】
2004016607.tif 000009
【図８】
2004016607.tif 000010
【図９】
2004016607.tif 000011
【図１０】
2004016607.tif 000012
【図１１】
2004016607.tif 000013
【図１２】
2004016607.tif 000014
【図１３】
2004016607.tif 000015
【図１４】
2004016607.tif 000016
【図１５】
2004016607.tif 000017
【図１６】
2004016607.tif 000018
【図１７】
2004016607.tif 000019
【図１８】
2004016607.tif 000020
【図１９】
2004016607.tif 000021
【図２０】
2004016607.tif 000022
【図２１】
2004016607.tif 000023
【図２２】
2004016607.tif 000024